(57)【要約】【課題】ロール状に巻かれた記録紙が供給される際に、用紙ロール支持軸を中心に振れることのないプリンタ装置を提供する。【解決手段】プリンタ本体部と接続されているアーム部と、前記アーム部と接続されている用紙ロール支持軸部とを有し、前記用紙ロール支持軸部は、前記用紙ロール支持軸部の一方の端部において、アーム部と接続されており、前記用紙ロール支持軸部の他方の端部より、中空のコアの外側にロール状に巻かれた記録紙のコアを入れることにより前記記録紙を設置することのできるプリンタ装置において、前記用紙ロール支持軸部は、第１の支持軸と、第２の支持軸とを有し、前記コアの内側とは、第１の支持軸における接触点と、第２の支持軸における接触点において接触していることを特徴とするプリンタ装置を提供することにより上記課題を解決する。【選択図】  図７
2014024615.tif 000002
【特許請求の範囲】
【請求項１】
プリンタ本体部と接続されているアーム部と、
前記アーム部と接続されている用紙ロール支持軸部とを有し、
前記用紙ロール支持軸部は、前記用紙ロール支持軸部の一方の端部において、アーム部と接続されており、
前記用紙ロール支持軸部の他方の端部より、中空のコアの外側にロール状に巻かれた記録紙のコアを入れることにより前記記録紙を設置することのできるプリンタ装置において、
前記用紙ロール支持軸部は、第１の支持軸と、第２の支持軸とを有し、
前記コアの内側とは、第１の支持軸における接触点と、第２の支持軸における接触点において接触していることを特徴とするプリンタ装置。
【請求項２】
前記用紙ロール支持軸部は、第３の支持軸を有し、
前記コアの内側とは、第１の支持軸における接触点と、第２の支持軸における接触点と、第３の支持軸における接触点において接触していることを特徴とする請求項１に記載のプリンタ装置。
【請求項３】
前記用紙ロール支持軸部は、前記コアの内側を押す付勢部材が設けられていることを特徴とする請求項１または２に記載のプリンタ装置。
【請求項４】
前記用紙ロール支持軸部は、前記コアの内側と接する押下部材と、前記押下部材により前記コアの内側を押す付勢部材が設けられていることを特徴とする請求項１または２に記載のプリンタ装置。
【請求項５】
前記付勢部材は、ねじりコイルバネ、コイルバネ、板バネのいずれかであることを特徴とする請求項４に記載のプリンタ装置。
【請求項６】
前記用紙ロール支持軸部の他方の端部には、前記コアの内側の形状よりも小さなフランジ部が設けられており、
前記用紙ロール支持軸部に前記コアが入った状態においては、前記コアの両側は、各々前記アーム部と前記フランジ部とにより抑えられていることを特徴とする請求項１から５のいずれかに記載のプリンタ装置。
【請求項７】
プリンタ本体部と接続されているアーム部と、
前記アーム部と接続されている用紙ロール支持軸部とを有し、
前記用紙ロール支持軸部は、前記用紙ロール支持軸部の一方の端部において、アーム部と接続されており、
前記用紙ロール支持軸部の他方の端部より、中空のコアの外側にロール状に巻かれた記録紙のコアを入れることにより前記記録紙を設置することのできるプリンタ装置において、
前記用紙ロール支持軸部は、２以上の支持軸と、付勢部材と、を有し、
２以上の前記支持軸は、２以上の前記支持軸における２以上の接触点において、前記コアの内側と接触していることを特徴とするプリンタ装置。
【請求項８】
プリンタ本体部と接続されているアーム部と、
前記アーム部と接続されている用紙ロール支持軸部とを有し、
前記用紙ロール支持軸部は、前記用紙ロール支持軸部の一方の端部において、アーム部と接続されており、
前記用紙ロール支持軸部の他方の端部より、中空のコアの外側にロール状に巻かれた記録紙のコアを入れることにより前記記録紙を設置することのできるプリンタ装置において、
前記用紙ロール支持軸部は、単一の支持軸と、付勢部材と、を有し、
前記支持軸は、前記支持軸における２以上の接触点において、前記コアの内側と接触していることを特徴とするプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。このようなレシート等を発行するプリンタにおいては、通常、記録紙となる感熱紙を搬送しながら、サーマルヘッド等により記録紙の所定の位置に印字等が行なわれる。
【０００３】
このようなサーマルヘッド等により記録紙に印字等を行なうプリンタにおいては、記録紙をサーマルヘッドとプラテンローラとの間に介在させて印字等がなされるが、印字等のなされる記録紙は、中空のコアにロール状に巻かれており、用紙ロール支持軸により支持された状態で、サーマルヘッドが設けられている側に供給される。
【先行技術文献】
【特許文献】
【０００４】
【特許文献１】特開２００３−１９８４５号公報
【特許文献２】特開平８−２１７２９５号公報
【特許文献３】特開２００４−２９２１５８号公報
【特許文献４】特開２００３−２４６５０８号公報
【発明の概要】
【発明が解決しようとする課題】
【０００５】
ところで、一般的には、図１に示されるように、用紙ロール支持軸９２０の径は、記録紙９４０が巻かれているコア９４１の内径よりも小さく形成されている。このため、記録紙９４０に印字等がなされ記録紙９４０が供給されることにより、コア９４１にロール状に巻かれた記録紙９４０は回転するが、ロール状に巻かれた記録紙９４０が回転する際に、図２における矢印Ａに示されるように、用紙ロール支持軸９２０を中心に、記録紙９４０の全体が大きく振れる。このように記録紙９４０の全体が大きく振れてしまうと記録紙９４０の位置が定まらず、記録紙９４０の残量を正確に検出することができない場合がある。また、ロール状に巻かれた記録紙９４０が、用紙ロール支持軸９２０を中心に振れた際、記録紙９４０が供給方向と逆方向に振れた場合に、記録紙９４０の供給が妨げられ、不図示のサーマルヘッドが設けられている側に、記録紙９４０が円滑に供給されなくなる場合がある。
【０００６】
本発明は、上記に鑑みてなされたものであり、ロール状に巻かれた記録紙が供給される際に、用紙ロール支持軸を中心に振れることのないプリンタ装置を提供することを目的とするものである。
【課題を解決するための手段】
【０００７】
本発明は、プリンタ本体部と接続されているアーム部と、前記アーム部と接続されている用紙ロール支持軸部とを有し、前記用紙ロール支持軸部は、前記用紙ロール支持軸部の一方の端部において、アーム部と接続されており、前記用紙ロール支持軸部の他方の端部より、中空のコアの外側にロール状に巻かれた記録紙のコアを入れることにより前記記録紙を設置することのできるプリンタ装置において、前記用紙ロール支持軸部は、第１の支持軸と、第２の支持軸とを有し、前記コアの内側とは、第１の支持軸における接触点と、第２の支持軸における接触点において接触していることを特徴とする。
【０００８】
また、本発明は、プリンタ本体部と接続されているアーム部と、前記アーム部と接続されている用紙ロール支持軸部とを有し、前記用紙ロール支持軸部は、前記用紙ロール支持軸部の一方の端部において、アーム部と接続されており、前記用紙ロール支持軸部の他方の端部より、中空のコアの外側にロール状に巻かれた記録紙のコアを入れることにより前記記録紙を設置することのできるプリンタ装置において、前記用紙ロール支持軸部は、２以上の支持軸と、付勢部材と、を有し、２以上の前記支持軸は、２以上の前記支持軸における２以上の接触点において、前記コアの内側と接触していることを特徴とする。
【０００９】
また、本発明は、プリンタ本体部と接続されているアーム部と、前記アーム部と接続されている用紙ロール支持軸部とを有し、前記用紙ロール支持軸部は、前記用紙ロール支持軸部の一方の端部において、アーム部と接続されており、前記用紙ロール支持軸部の他方の端部より、中空のコアの外側にロール状に巻かれた記録紙のコアを入れることにより前記記録紙を設置することのできるプリンタ装置において、前記用紙ロール支持軸部は、単一の支持軸と、付勢部材と、を有し、前記支持軸は、前記支持軸における２以上の接触点において、前記コアの内側と接触していることを特徴とする。
【発明の効果】
【００１０】
本発明によれば、ロール状に巻かれた記録紙が供給される際に、用紙ロール支持軸を中心に振れることのないプリンタ装置を提供することができる。
【図面の簡単な説明】
【００１１】
【図１】従来のプリンタ装置の説明図（１）
【図２】従来のプリンタ装置の説明図（２）
【図３】第１の実施の形態におけるプリンタ装置の斜視図（１）
【図４】第１の実施の形態におけるプリンタ装置の斜視図（２）
【図５】第１の実施の形態におけるプリンタ装置の用紙ロール支持軸部とアーム部の斜視図（１）
【図６】第１の実施の形態におけるプリンタ装置の用紙ロール支持軸部とアーム部の斜視図（２）
【図７】第１の実施の形態におけるプリンタ装置の用紙ロール支持軸部の斜視図
【図８】用紙ロール支持軸部の側面図
【図９】フランジ部を取り除いた状態の用紙ロール支持軸部の側面図
【図１０】用紙ロール支持軸部の斜視図
【図１１】フランジ部を取り除いた状態の用紙ロール支持軸部の斜視図
【図１２】第１の実施の形態における用紙ロール支持軸部の説明図
【図１３】第１の実施の形態における他の用紙ロール支持軸部の説明図（１）
【図１４】第１の実施の形態における他の用紙ロール支持軸部の説明図（２）
【図１５】第１の実施の形態における他の用紙ロール支持軸部の説明図（３）
【図１６】第１の実施の形態における他の用紙ロール支持軸部の説明図（４）
【図１７】第１の実施の形態における他の用紙ロール支持軸部の説明図（５）
【図１８】第１の実施の形態における他の用紙ロール支持軸部の説明図（６）
【図１９】第１の実施の形態における他の用紙ロール支持軸部の説明図（７）
【図２０】第２の実施の形態における用紙ロール支持軸部の説明図（１）
【図２１】第２の実施の形態における用紙ロール支持軸部の説明図（２）
【図２２】第２の実施の形態における用紙ロール支持軸部の説明図（３）
【図２３】第２の実施の形態における用紙ロール支持軸部の説明図（４）
【図２４】第３の実施の形態における用紙ロール支持軸部の説明図
【図２５】第３の実施の形態における用紙ロール支持軸部への記録紙の設置方法の説明図
【発明を実施するための形態】
【００１２】
本発明を実施するための形態について、以下に説明する。尚、同じ部材等については、同一の符号を付して説明を省略する。
【００１３】
〔第１の実施の形態〕
（プリンタ装置）
本実施の形態におけるプリンタ装置は、図３から図６に示されるように、印字等のなされるプリンタ本体部１０と、ロール状に巻かれた記録紙を支持する用紙ロール支持軸部２０と、プリンタ本体部１０と用紙ロール支持軸部２０とを接続しているアーム部３０とを有している。尚、図３は、プリンタ本体部１０側から見た斜視図であり、図４は、アーム部３０側から見た斜視図である。また、図５及び図６は、用紙ロール支持軸部２０とアーム部３０との関係を示す斜視図であり、図５は、図３と同じ側から見た斜視図であり、図６は、図４と同じ側から見た斜視図である。
【００１４】
プリンタ本体部１０は、いわゆるプリンタメカを有しており、サーマルヘッド等のプリンタヘッド、プラテンローラ、記録紙を搬送するためのモータ等を有している。用紙ロール支持軸部２０は、一方の端部においてアーム部３０と接続されており、他方の端部より、ロール状に巻かれた記録紙のコアを入れることにより、記録紙を設置することができるように形成されている。
【００１５】
次に、用紙ロール支持軸部２０について、図７〜図１１に基づき説明する。図７は用紙ロール支持軸部２０の全体を示す斜視図であり、図８は用紙ロール支持軸部２０の側面図であり、図９は用紙ロール支持軸部２０のフランジ部２６を外した状態の側面図であり、図１０は用紙ロール支持軸部２０の斜視図であり、図１１は用紙ロール支持軸部２０のフランジ部２６を外した状態の斜視図である。尚、記録紙は内側が中空のコア１０１の外側にロール状に巻かれているものであり、図８〜図１１においては、記録紙のコア１０１との関係を示すため、コア１０１のみが記載されている。
【００１６】
本実施の形態における用紙ロール支持軸部２０は、第１の支持軸２１、第２の支持軸２２、支持シャフト部２３、押下部材２４、バネ２５、フランジ部２６を有している。第１の支持軸２１及び第２の支持軸２２は、略円筒形の形状で形成されており、ロール状に巻かれた記録紙のコア１０１における長さと同程度または若干長く形成されている。第１の支持軸２１と第２の支持軸２２とは、図９等に示されるように接触していてもよくまた離れていてもよい。また、第１の支持軸２１の径は第２の支持軸２２の径と異なっていてもよい。支持シャフト部２３はロール状に巻かれた記録紙のコア１０１の長さと同程度の長さで形成されており、支持シャフト部２３を中心に可動する押下部材２４が設けられている。また、押下部材２４と第１の支持軸２１との間には、付勢部材となるコイルバネ等からなるバネ２５が設けられている。これにより、押下部材２４は記録紙のコア１０１の内側と接触部２４ａにおいて接触し、押下部材２４の接触部２４ａにおいて、矢印Ｂに示される方向に働くバネ２５の復元力により、記録紙のコア１０１の内側が押されている。尚、本実施の形態においては、第１の支持軸２１及び第２の支持軸２２は、記録紙のコア１０１が回転した場合においても回転することはない。従って、第１の支持軸２１及び第２の支持軸２２は、コア１０１との摩擦が少なくなるように、表面がなめらかな形状により形成されていることが好ましい。
【００１７】
これにより、記録紙のコア１０１の内側は、第１の支持軸２１との接触点２１ａと、第２の支持軸２２との接触点２２ａと、押下部材２４における接触部２４ａとの３点において接触しており、この３点がコア１０１の内側と接触することにより、記録紙は保持されている。コア１０１と接触している３点うち、接触部２４ａにおいては、矢印Ｂに示す方向に働くバネ２５の復元力により、押下部材２４の接触部２４ａが記録紙のコア１０１の内側を押しているため、３点による接触をより確実なものとすることができる。従って、ロール状に巻かれた記録紙を供給する際、記録紙のコア１０１が回転しても、記録紙のコア１０１は振れることはないため、記録紙の残量を正確に検出することができ、また、記録紙をプリンタ本体部１０の設けられている側に安定的に供給することができる。
【００１８】
また、本実施の形態におけるプリンタ装置においては、図１０に示されるように、用紙ロール支持軸部２０より、記録紙のコア１０１が外れることがないように、フランジ部２６が設けられている。フランジ部２６は用紙ロール支持軸部２０の他方の端部に設けられており、記録紙のコア１０１の内側よりも外にはみ出す抑え部２６ａを有している。これにより、記録紙のコア１０１は、一方の側ではアーム部３０により抑えられ、他方の側ではフランジ部２６の抑え部２６ａにより抑えられているため、通常の印字等の動作時においては、用紙ロール支持軸部２０より記録紙が外れることはない。
【００１９】
尚、フランジ部２６の全体は、記録紙のコア１０１の内側よりも小さな形状となるように形成されおり、記録紙のコア１０１をバネ２５の復元力に抗して用紙ロール支持軸部２０に入れることができる。このように、記録紙のコア１０１をバネ２５の復元力に抗して用紙ロール支持軸部２０に入れることにより、押下部材２４における接触部２４ａにおいて、バネ２５の復元力により、記録紙のコア１０１が押される。これにより、記録紙を用紙ロール支持軸部２０に安定的に確実に設置することができる。
【００２０】
上記においては、図１２に示されるように、バネ２５に、ねじりコイルバネを用いており、このねじりコイルバネが支持シャフト部２３の回りに巻かれている構造のものについて説明したが、バネ２５の種類や設置される位置は、これに限定されるものではない。
【００２１】
具体的には、図１３に示されるように、バネ２５としてコイルバネ２５ａを用いた構造のものであってもよく、また、図１４に示されるように、バネ２５として板バネ２５ｂを用いた構造のものであってもよい。更に、図１５に示されるように、バネ２５の中心が第２の支持軸２２の中心と略同位置となるように設置されている構造のものであってもよい。また、図１６に示されるように、バネ２５等の付勢部材を用いることなく押下部材２４自体が付勢力を有するもの（付勢部材）であってもよい。
【００２２】
また、図１７に示されるように、本実施の形態においては、押下部材２４の回転軸に第１の支持軸２１、第２の支持軸２２を用いてもよい。具体的には、押下部材２４は第２の支持軸２２に回転可能な状態で取り付けられており、記録紙１００のコア１０１の内側を接触部２４ａにおいて、矢印Ｃに示す方向に働くバネ２５の復元力により押すことができるように設置されている。これにより、コア１００の内側とは、第１の支持軸２１における接触点２１ａ、第２の支持軸２２における接触点２２ａ、押下部材２４における接触部２４ａの３点において接触させることができ、記録紙１００の振れをより一層抑制することができる。
【００２３】
また、図１８に示されるように、用紙ロール支持軸部は、板バネ部１２６を有するものであってもよい。具体的には、記録紙１００のコア１０１の内側を板バネ１２６の接触部１２６ａにおいて、矢印Ｃに示す方向に働く板バネ１２６の復元力により押すことができるように設置されているものであってもよい。これにより、コア１００の内側とは、第１の支持軸２１における接触点２１ａ、第２の支持軸２２における接触点２２ａ、板バネ材１２６における接触部１２６ａの３点において接触させることができ、記録紙１００の振れをより一層抑制することができる。
【００２４】
また、本実施の形態におけるプリンタ装置は、図１９に示されるように、押下部材２４、バネ２５等が設けられていない構造のものであってもよい。具体的には、第１の支持軸２１と第２の支持軸２２とを設けることにより、記録紙１００のコア１０１の内側とは、第１の支持軸２１における接触点２１ａ及び第２の支持軸２２における接触点２２ａの２点において接触させることができる。これにより、支持軸が一本の場合よりも、記録紙１００が供給される際に回転することにより生じる記録紙１００の振れを抑制することができる。尚、本実施の形態においては、第１の支持軸２１における直径と第２の支持軸２２における直径の和が、記録紙１００のコア１０１の内径よりも若干小さくなるように形成されていることが好ましい。このように形成することにより、記録紙１００が回転する際に生じる記録紙１００の振れ幅等を小さくすることができる。
【００２５】
〔第２の実施の形態〕
次に、第２の実施の形態について説明する。本実施の形態におけるプリンタ装置は、第１の実施の形態におけるプリンタ装置の用紙ロール支持軸部２０等とは異なる構造の用紙ロール支持軸部を有するものである。
【００２６】
本実施の形態におけるプリンタ装置は、図２０に示されるように、用紙ロール支持軸部が、略円柱形状の第１の支持軸１２１と略円柱形状の第２の支持軸１２２と略円柱形の第３の支持軸２２３を有している。このように、第１の支持軸１２１と第２の支持軸１２２と第３の支持軸２２３を設けることにより、記録紙１００のコア１０１の内側とは、第１の支持軸１２１における接触点１２１ａ、第２の支持軸１２２における接触点１２２ａ及び第３の支持軸２２３における接触点２２３ａの３点において接触させることができる。これにより、より一層記録紙１００の振れを抑制することができる。
【００２７】
また、本実施の形態は、図２１に示されるように、更に、コイルバネ２２４及び２２５を設けた構造のものであってもよい。具体的には、第１の支持軸１２１と第３の支持軸２２３の間が広がるような復元力を有するコイルバネ２２４を第１の支持軸１２１と第３の支持軸２２３との間に設け、第２の支持軸１２２と第３の支持軸２２３の間が広がるような復元力を有するコイルバネ２２５を第２の支持軸１２２と第３の支持軸２２３との間に設けたものであってもよい。これにより、矢印Ｄに示す方向に復元力が働き、記録紙１００のコア１０１の内側が押されるため、記録紙１００のコア１０１の内側と、第１の支持軸１２１、第２の支持軸１２２及び第３の支持軸２２３との接触をより確実なものとすることができる。
【００２８】
また、図２２に示されるように、コイルバネ２２４及び２２５に代えて、ねじりコイルバネ２２６を設けた構造のものであってもよく、また、図２３に示されるように、コイルバネ２２４及び２２５に代えて、ねじり板バネ２２７を設けた構造のものであってもよい。これらの構造においても、図２１に示される構造のものと同様、矢印Ｄに示す方向に復元力が働き、記録紙１００のコア１０１の内側が押されるため、図２１に示されるものと同様の効果を得ることができる。
【００２９】
尚、上記以外の内容については、第１の実施の形態と同様である。
【００３０】
〔第３の実施の形態〕
次に、第３の実施の形態について説明する。本実施の形態におけるプリンタ装置は、図２４に示されるように、図１９に示される押下部材２４が設けられていない構造のプリンタ装置において、フランジ部３２６の位置が相対的に上側となるように取り付けられている構造のものである。これにより、記録紙１００のコア１０１を用紙ロール支持軸部に入れた後、矢印Ｅに示す方向に働く重力により記録紙１００が下に落ちるため、記録紙１００のコア１０１の側面はフランジ部３２６により抑えることができる。
【００３１】
具体的には、図２５（ａ）に示すように、用紙ロール支持軸部３２０は一方の端部においてアーム部と接続されており、他方の端部にはフランジ部３２６が設けられている。フランジ部３２６は、用紙ロール支持軸部３２０の中心に対し、相対的に上側に取り付けられており、用紙ロール支持軸部３２０の他方の端部より記録紙１００のコア１０１を挿入する。この後、記録紙１００のコア１０１の全体がフランジ部３２６の内側まで移動すると、図２５（ｂ）に示すように、矢印Ｅに示す方向に働く重力により、記録紙１００が全体的に下に落ち、記録紙１００のコア１０１の上側と、用紙ロール支持軸部３２０とが接触する。この状態においては、記録紙１００のコア１０１は、一方の側はアーム部により、他方の側はフランジ部３２６により抑えられているため、用紙ロール支持軸部３２０より記録紙１００が抜け落ちることはない。
【００３２】
以上、本発明の実施に係る形態について説明したが、上記内容は、発明の内容を限定するものではない。
【符号の説明】
【００３３】
１０        プリンタ本体部
２０        用紙ロール支持軸部
２１        第１の支持軸
２１ａ      接触点
２２        第２の支持軸
２２ａ      接触点
２３        支持シャフト部
２３ａ      接触点
２４        押下部材
２５        バネ
２６        フランジ部
３０        アーム部
１００      記録紙
１０１      コア
【図１】
2014024615.tif 000003
【図２】
2014024615.tif 000004
【図３】
2014024615.tif 000005
【図４】
2014024615.tif 000006
【図５】
2014024615.tif 000007
【図６】
2014024615.tif 000008
【図７】
2014024615.tif 000009
【図８】
2014024615.tif 000010
【図９】
2014024615.tif 000011
【図１０】
2014024615.tif 000012
【図１１】
2014024615.tif 000013
【図１２】
2014024615.tif 000014
【図１３】
2014024615.tif 000015
【図１４】
2014024615.tif 000016
【図１５】
2014024615.tif 000017
【図１６】
2014024615.tif 000018
【図１７】
2014024615.tif 000019
【図１８】
2014024615.tif 000020
【図１９】
2014024615.tif 000021
【図２０】
2014024615.tif 000022
【図２１】
2014024615.tif 000023
【図２２】
2014024615.tif 000024
【図２３】
2014024615.tif 000025
【図２４】
2014024615.tif 000026
【図２５】
2014024615.tif 000027